(57)【要約】      （修正有）【課題】極めて簡単な構成で確実に使用する電池の種類の設定を行わせることが出来る電子機器を提供する。【解決手段】電池８Ａ及び８Ｂが装着される電池装着部２０には、装着される電池がアルカリ電池の時にスイッチ入力されるスイッチと、装着される電池がニッケル水素電池の時にスイッチ入力されるスイッチが配置されている。スイッチは、スライド摘み３１を備えたスライドスイッチで構成されており、スライド摘みが中心位置にある時には電池蓋２２が閉じないように、そしてスライド摘みが電池の種類設定の位置にある時には電池蓋が閉じるような構造となっている。この構成により、電池の種類設定が行われないと電池蓋が閉じないので必ず電池の種類設定が行われるものである。【選択図】図２
2006172920.tif 000002
【特許請求の範囲】
【請求項１】
電池を挿入する開口を有し前記開口内部に挿入された電池の電池収納部が形成された機器ケースと、この機器ケース内部の前記電池収納部もしくは前記電池収納部近傍に配置された電池の種類設定操作スイッチと、前記機器ケースの前記開口に取り付けられ前記開口を塞ぐ電池蓋とを備えたことを特徴とする電子機器。
【請求項２】
前記電池の種類設定操作スイッチは、電池の種類を設定しない位置と電池の種類を設定する位置とに移動可能な操作部材を備え、この操作部材が電池の種類を設定しない位置にある際には前記電池蓋が前記操作部材に当接して前記電池蓋で前記機器ケースの前記開口を塞ぐことが出来ず、前記操作部材が前記電池の種類を設定する位置にある際には前記電池蓋は前記操作部材に当接せず前記電池蓋で前記機器ケースの前記開口が塞がれることを特徴とする請求項１に記載の電子機器。
【請求項３】
更に、前記電池蓋を前記機器ケースから取り外した際に前記操作部材を前記電池の種類を設定しない位置に移動させる移動手段を備えることを特徴とする請求項３に記載の電子機器。
【請求項４】
更に、前記電池の種類設定操作スイッチによって設定された電池の種類情報に基づき前記電池の残り容量を検出する残容量検出手段を備えることを特徴とする請求項１乃至３の何れかに記載の電子機器。
【請求項５】
電池の装着を検出する装着検出手段と、この装着検出手段によって電池の装着が検出された際もしくは電池の装着が検出された後の電源スイッチ投入の際に、電池の種類設定を促す表示を行う種類設定表示手段と、この種類設定表示手段による表示が成されている際に電池の種類設定を行う設定手段とを備えたことを特徴とする電子機器。
【請求項６】
前記設定手段による前記電池の種類設定が行われなかった際には、前記電源スイッチ投入毎に前記種類設定表示手段による表示が成されることを特徴とする請求項５に記載の電子機器。
【請求項７】
更に、前記設定手段によって設定された電池の種類情報に基づき前記電池の残り容量を検出する残容量検出手段を備えることを特徴とする請求項５又は６に記載の電子機器。
【請求項８】
前記電子機器は、被写体像を撮影して画像情報を記憶する電子スチルカメラであることを特徴とする請求項１乃至７の何れかに記載の電子機器。
【発明の詳細な説明】
【技術分野】
【０００１】
この発明は、異なった種類の電池電源を使用可能な電子機器に関する。
【背景技術】
【０００２】
従来、例えば単３電池を駆動電源とする電子機器にあっては、アルカリ電池、ニッケル水素電池など異なった種類のいずれであっても駆動電源として使用可能である。しかしながら、電池はその種類によって特性が異なる為、例えば、使用中の電池の残り容量などを検出して表示させようとした場合には、それぞれの電池の種類のあった検出手段で残り容量を検出しないと正確な値が表示できない。そこで、例えば、装着された電池の内部抵抗を測定して電池の種類を判別したり（特許文献１参照）、或いは、電池に特定の負荷を与えた時の電圧と負荷を与えない状態での電圧とを用いて電池の種類を判別したり（特許文献２参照）して電池の種類を自動的に検出することが考えられている。又、電池の種類を自動的に検出するのではなく、キーボードなどから入力することによって設定することも考えられている（特許文献３参照）。
【特許文献１】特開２００４−１９２８５９号
【特許文献２】特開平１１−１９１４３７号
【特許文献３】特開平０６−０４５９８１号
【発明の開示】
【発明が解決しようとする課題】
【０００３】
しかしながら、電池の種類を自動的に検出する回路手段などを設けることは、回路構成が複雑になるばかりか、例えば、使用される電池が新品ではなく、ある程度使用された電池だった場合、或いは使用する際の温度環境などによって誤検出してしまう可能性があった。又、電池の種類をキーボードから入力する方法にあっては、入力を行わないと誤った検出動作が成されてしまうという欠点があった
【０００４】
本発明は上記の点に鑑みてなされたもので、その課題とするところは、極めて簡単な構成で確実に使用する電池の種類の設定を行わせることが出来る電子機器を提供する点にある。
【課題を解決するための手段】
【０００５】
本発明の請求項１の電子機器は、電池を挿入する開口を有し前記開口内部に挿入された電池の電池収納部が形成された機器ケースと、この機器ケース内部の前記電池収納部もしくは前記電池収納部近傍に配置された電池の種類設定操作スイッチと、前記機器ケースの前記開口に取り付けられ前記開口を塞ぐ電池蓋とを備えたことを特徴とする。
【０００６】
又、請求項２の電子機器は、前記電池の種類設定操作スイッチが、電池の種類を設定しない位置と電池の種類を設定する位置とに移動可能な操作部材を備え、この操作部材が電池の種類を設定しない位置にある際には前記電池蓋が前記操作部材に当接して前記電池蓋で前記機器ケースの前記開口を塞ぐことが出来ず、前記操作部材が前記電池の種類を設定する位置にある際には前記電池蓋は前記操作部材に当接せず前記電池蓋で前記機器ケースの前記開口が塞がれることを特徴とする。
【０００７】
更に、請求項３の電子機器は、前記電池蓋を前記機器ケースから取り外した際に前記操作部材を前記電池の種類を設定しない位置に移動させる移動手段を備えることを特徴とする。
【０００８】
更に又、請求項４の電子機器は、前記電池の種類設定操作スイッチによって設定された電池の種類情報に基づき前記電池の残り容量を検出する残容量検出手段を備えることを特徴とする。
【０００９】
本発明の請求項５の電子機器は、電池の装着を検出する装着検出手段と、この装着検出手段によって電池の装着が検出された際もしくは電池の装着が検出された後の電源スイッチ投入の際に、電池の種類設定を促す表示を行う種類設定表示手段と、この種類設定表示手段による表示が成されている際に電池の種類設定を行う設定手段とを備えたことを特徴とする。
【００１０】
又、請求項６の電子機器は、前記設定手段による前記電池の種類設定が行われなかった際には、前記電源スイッチ投入毎に前記種類設定表示手段による表示が成されることを特徴とする。
【００１１】
更に、請求項７の電子機器は、前記設定手段によって設定された電池の種類情報に基づき前記電池の残り容量を検出する残容量検出手段を備えることを特徴とする。更に又、請求項８は、前記電子機器が、被写体像を撮影して画像情報を記憶する電子スチルカメラであることを特徴とする。
【発明の効果】
【００１２】
本発明によれば、電池が装着された際に使用電池の種類を設定しない限り電子機器を使用することが出来ない構成である為、必ず電池の種類設定が行われ、設定された電池の種類に応じた各種処理を行わせることが出来るものである。
【発明を実施するための最良の形態】
【００１３】
第１実施例
図１は、この発明を適用した電子機器の第１実施例であり、例えば、撮像装置である電子スチルカメラの回路ブロック図である。図において、制御部１は、ＣＰＵ等から構成され内部に機器全体の動作を制御するプログラムや後述する各部の動作を制御するプログラムを備えている。この制御部１には、被写体を撮影して画像データを得る撮像部２が接続されている。この撮像部２は、詳細は示していないが、ＣＣＤ等の撮像素子に被写体を結像するレンズやシャッターなどの光学系、前記撮像素子からの信号を符号化されたデジタル画像データに変換して制御部１に供給する信号処理回路などから構成されている。
【００１４】
又、制御部１には、不揮発性のフラッシュメモリ等から構成され撮影された画像データの記録及び他の各種データを記憶するきお記憶部３、検出した電池電圧と電池の残り容量とを示すデータテーブルを電池の種類毎に記憶しているＲＯＭ４、撮像部２によって撮影された画像データ或いは記録部３に記憶された画像データなどを外部機器に送信したり外部機器から送られてくる各種情報を受信する通信回路部５、撮影時のスルー表示及び記憶部３に記録された画像データの再生表示或いは各種設定情報などを表示するカラー液晶表示装置などから構成される表示部６がそれぞれ接続されている。
【００１５】
入力部７は、撮影の為の撮影条件の設定キーや、撮影を行わせる為のシャッタースイッチキー、記憶部３に記録された画像データを表示部６に再生表示させる再生キー、外部機器との通信を行わせる為の通信制御キーなどを備えており、これらのキー入力信号は制御部１に送られる。
【００１６】
直列接続された電池８Ａ及び８Ｂは、この電子スチルカメラの駆動電源であり、図２で詳細を後述する電池装着部２０に装着されるものである。電池８Ａ及び８Ｂの端子電圧信号は制御部１の入力端子Ｂ０に送られると共に、電源回路部９に送られて上述した各部を駆動する為の電圧に変換され各部に送られる。又、スイッチ１０及び１１は、前記電池装着部２０に設けられ、装着された電池の種類に応じてスイッチ入力がなされるスイッチであり、スイッチ１０は、装着された電池８Ａ及び８Ｂがアルカリ電池の時に入力されるスイッチ、スイッチ１１はニッケル水素電池の時に入力されるスイッチである。これらスイッチ１０及び１１のスイッチ信号は制御部１の入力端子Ｋ０及びＫ１にそれぞれ送られている。
【００１７】
図２は、前記電池装着部２０の構造を示す斜視図である。この電子スチルカメラの外部（機器）ケース２１の開口内部には、電池８Ａの収納配置部２３及び電池８Ｂの収納配置部２４が設けられており、電池８Ａ及び電池８Ｂを収納後に電池蓋２２で外部ケース２１の開口を塞ぐようになっている。この場合、外部ケース２１に形成された孔部２１Ａ及び２１Ｂに電池蓋２２の足部２２Ａ及び２２Ｂが係止され、且つ外部ケース２１の切欠２１Ｄに電池蓋２２の先端部２２Ｄが係止されることによって電池蓋２２は外部ケース２１に固定保持されるようになっている。尚、収納配置部２３及び収納配置部２４の両端には、電池の陰極端子２５及び陽極端子２６が配置されている。
【００１８】
又、外部ケース２１の開口内部の切欠２１Ｄの内側には凹部２１Ｃが形成され、この凹部２１Ｃの深さは、切欠２１Ｄに電池蓋２２の先端部２２Ｄが係止された時、電池蓋２２の先端部２２Ｄの下方に形成されている底面部２２Ｃが凹部２１Ｃの底面表面に当接する深さとなっている。更に、凹部２１Ｃ底面には、詳細を図３で説明するスライドスイッチ３０が設けられており、図２においては、前記スライドスイッチ３０のスライド摘み３１が示してある。
【００１９】
図３は、前記スライドスイッチ３０が設けられた凹部２１およびその近辺の正面図であり、図４は、図３のＡ―Ａ断面図である。図３において、凹部２１Ｃ底面には、スライドスイッチ３０のスライド摘み３１が移動する開口３２が形成されており、この図３ではスライド摘み３１が開口３２の中央、即ち切欠２１Ｄと対向する位置に配置されているが、開口３２の左方向及び右方向に移動することが出来るようになっている。そして、開口３２の左側の凹部２１Ｃ上に「アルカリ電池」の文字が印刷されており、開口３２の右側の凹部２１Ｃ上には「Ｎｉ水素電池」の文字が印刷されている。
【００２０】
スライド摘み３１は、図４に示すように、下端が断面曲線状に形成され、凹部２１Ｃの下方で且つ開口３２に対向する位置には、基板３３を貫通する軸部材３４及び３５が配置されている。この軸部材３４及び３５の上面は曲線状をなし、下面には導電性のバネ部材３６及び３７が当接して軸部材３４及び３５を保持している。バネ部材３６及び３７の下方には回路基板３８が配置され、この回路基板３８の前記軸部材３４及び３５と対向する位置にはスイッチ接点３９及び４０が形成されている。しかして、軸部材３４、バネ部材３６及びスイッチ接点３９は、図１で示したスイッチ１０を構成するものであり、軸部材３５、バネ部材３７及びスイッチ接点４０は、図１で示したスイッチ１１を構成するものである。即ち、バネ部材３６及び３７には接地電圧が供給されており、スイッチ接点３９及び４０は図１の制御部１の入力端子Ｋ０及びＫ１にそれぞれ接続されているものである。
【００２１】
そして、スライド摘み３１が図４の左方向に移動されると、スライド摘み３１の曲線状の下端が軸部材３４の曲線状の上端を押圧し、軸部材３４が下方に移動することによってバネ部材３６がスイッチ接点３９に当接してスイッチ１０のスイッチ入力が成されるものである。又、スライド摘み３１が図４の右方向に移動されると軸部材３５、バネ部材３７及びスイッチ接点４０が同様に作動してスイッチ１１の入力が成されるものである。
【００２２】
上記の構成において、電池８Ａを収納配置部２３、電池８Ｂを収納配置部２４にそれぞれ配置して電池蓋２２で外部ケース２１の開口をふさぐ際に、スライド摘み３１が開口３２の中心に位置している場合にあっては、即ち、スイッチ１０及びスイッチ１１のいずれもスイッチ入力が成されていない状態にあっては、電池蓋２２の先端部２２Ｄの下方に形成されている底面部２２Ｃがスライド摘み３１の上面に当接する為に、先端部２２Ｄが切欠２１Ｄの位置まで届かず、電池蓋２２を閉じることが出来ない。これに対して、収納される電池８Ａ及び８Ｂがアルカリ電池の場合にはスライド摘み３１を左方向に移動させ、或いは、Ｎｉ水素電池の場合には右方向に移動させると、スイッチ１０或いは１１の何れか一方がスイッチ入力されると共に、電池蓋２２の底面部２２Ｃはスライド摘み３１に邪魔されずに凹部２１Ｃの底面まで移動する為、電池蓋２２の先端部２２Ｄが切欠２１Ｄの位置まで移動し、電池蓋２２を閉じることが出来る。
【００２３】
図５は、使用される電池８Ａ及び８ＢがＮｉ水素電池であった為、スライド摘み３１を手動で右方向に移動操作した状態を示している。又、図６は、図５の状態で電池蓋２２をしめた際の底面部２２の位置とスライド摘み３１の位置関係を示した図である。尚、アルカリ及びＮｉ水素の印刷文字については図面から省略してある。
【００２４】
このようにして、手動操作によってスイッチ１０及び１１の何れかのスイッチ入力が成された状態での制御部１による動作のフローチャートを図７で説明する。ステップＳ１は、入力部７で何らかのキー入力操作が行われたか否かを検出するもので、入力部７でのキー入力が成されたことを検出するとステップＳ２に進み、そのキー入力に応じた処理がなされ、次のステップＳ３では、その処理結果に応じた表示が表示部６で行われる。即ち、入力部７で操作されるキーは、撮影の為の撮影条件の設定キー、撮影を行わせる為のシャッタースイッチキー、記録部３に記録された画像データを表示部６に再生表示させる再生キー、外部機器との通信を行わせる為の通信制御キー等であり、これらのキー操作に応じた機能処理がステップＳ２で行われ、ステップＳ３では、撮影条件情報の表示、撮影時のスルー画像表示、撮影した画像の表示、再生画像の表示、外部機器との通信する情報の表示などが行われる。
【００２５】
一方、ステップＳ１でキー入力が検出されない場合にはステップＳ４に進み、電池電圧の検出タイミングか否かを判断する。この検出タイミングは、例えば、３０分毎といったように予め定められた時間毎のタイミング、或いは撮影終了後といった不定期のタイミングであり、この検出タイミングでは無い場合には処理を終了するが、検出タイミングであった場合にはステップＳ５に進む。ステップＳ５では、制御部１の入力端子Ｋ０及びＫ１のいずれが「１」（スイッチ入力信号有り）なのかを判断し、端子Ｋ０が「１」の場合にはステップＳ６、端子Ｋ１が「１」の場合にはステップＳ７にそれぞれ進む。
【００２６】
ステップＳ６では、入力端子Ｂ０に入力されている電池８Ａ及び８Ｂの電圧から電池の残り容量を検出するもので、ＲＯＭ４から、アルカリ電池の電圧と残り電池容量との対応を示すテーブルデータを読み出して一旦記憶部３に記憶させ、入力端子Ｂ０に入力された電池電圧に対応する残り容量データを記憶部３に記憶させたテーブルデータから読み出す。そして次のステップＳ８で、残り容量データを表示部６に表示させるものである。このステップ６の残り容量表示は、例えば、フル電圧から動作不可になる電圧までの電圧差から得られた残り容量データを複数、例えば５段階に等分し、並列配置された５つのドット表示体で表示させるといった、所謂アナログ表示で直接行わせてもよいし、或いは、残りの電池容量であと何枚の撮影が可能か、といった間接的な情報で表示させてもよいものである。
【００２７】
一方、ステップＳ７では、ＲＯＭ４から、Ｎｉ水素電池の電圧と残り電池容量との対応を示すテーブルデータを読み出して一旦記憶部３に記憶させ、入力端子Ｂ０に入力された電池電圧に対応する残り容量データを記憶部３のテーブルデータから読み出し、ステップＳ６と同様に残り容量データを得て、次のステップＳ９で残り容量を表示部６に表示させるものである。
【００２８】
このように、上記第１の実施例では、電池装着部或いはその近傍に電池の種類を設定するスイッチ手段を設けたので、電池装着時には設定操作を行わなければならないことを使用者に伝えることが出来、設定操作が確実に行われる効果を有するものである。又、設定操作を行わないと電池蓋２２を閉じることが出来ず、その為必ず設定操作が行われるという効果も有する。
【００２９】
図８乃至図１０は、上記第１の実施例のスライドスイッチ３０の代わりにスライドスイッチ４０を用いた変形例を示している。図８は図３に対応する正面図であり、図９は図８のＢ−Ｂ断面図である。尚、図３及び図４と同一構成部には同一符号を付してその詳細な説明は省略する。
【００３０】
しかして、外部ケース２１には、図３の切欠２１Ｄより幅広の切欠２１Ｅが形成されている。この切欠２１Ｅの幅は、スライド摘み４１が移動する開口４２（図９参照のこと）とほぼ同じ幅となっている。スライド摘み４１の上面には、上方に突出し且つ折曲して前記切欠２１Ｅ迄延出する延出部４１Ａが一体形成されている。又、凹部２１Ｃ内部には、スライド摘み４１の両側面を押圧してスライド摘み４１が凹部２１Ｃの中央部分に位置するように押圧する、例えばスプリング等の弾性部材５０及び５１が配置されている。尚、５２及び５３は弾性部材５０及び５１を保持する為の固定部材である。
【００３１】
この変形例においては、電池８Ａ及び８Ｂの交換などの為に電池蓋２２を開けると、スライド摘み４１が弾性部材５０及び５１の弾性作用によって常に凹部２１Ｃの中央位置に戻るようになっている。従って、電池交換のあとは、スライド摘み４１を交換した電池の種類に従って右もしくは左に移動させてスイッチ１０もしくは１１のスイッチ入力を行わせた状態にしないと電池蓋２２を閉じることは出来ない。この場合、スライド摘み４１は弾性部材５０及び５１により凹部２１Ｃの中央方向に移動するように弾性抗力を受けるので、右もしくは左に移動させたあとは、切欠２１Ｅに延出した延出部４１Ａの先端を押さえて固定し、その状態で電池蓋２２を閉じれば、スライド摘み４１は電池蓋２２の底面部２２Ｃの側面に当接するので、凹部２１Ｃの中央に移動することはない。図１０は、スライド摘み４１を左に移動させたあと、電池蓋２２を閉じた状態を示している。
【００３２】
尚、上記第１実施例及びその変形例では、アルカリ電池とＮｉ水素電池の何れかが使用される例について述べたが、使用される電池としてはこの２種類に限らず他の種類の電池であってもよい。又、２種類ではなく３種類以上の種類の中から選択設定出来るようにしてもよく、この場合にはスライドスイッチで入力されるスイッチの数を種類に応じて増やせばよいものである。
【００３３】
第２実施例
図１１乃至図１３は本発明の第２実施例を示している。尚、第１実施例と同一構成部には同一番号を付してその詳細な説明は省略する。図１１は電子スチルカメラの回路構成ブロック図で、電池８Ａ及び８Ｂの出力端子電圧は、制御部１の入力端子Ｂ０に供給されると共に、電池の装着が成された際に制御部１の入力端子Ｂ１に装着検出信号を出力する装着検知回路部１３にも与えられている。この装着検出回路部１３は例えば時定数回路から構成され電池８Ａ及び８Ｂの装着による入力信号の立ち上がりを検出して一定パルス幅の信号を装着検出信号として出力するものである。
【００３４】
電源回路部１４は、図１の電源回路部９と同様に電池８Ａ及び８Ｂの出力端子電圧が与えられているが、常に各部に動作電圧を供給するのではなく、制御部１からの制御信号Ｂ２により各部に選択的に動作電圧を供給する様に構成されている。又、記録部１４には、電池の装着が成されたか否かのフラグＦを記憶する記憶領域１４Ａと、設定された電池の種類データＬを記憶する種類データ記憶部１４Ｂと、後述する電源オン状態を記憶するフラグＮを記憶する記憶領域１４Ｃも設けられている。更に、１２は各部に電源を供給して電子スチルカメラとしての動作を可能にする電源オンキーであり、又、入力部１５には、図１の入力部７で述べた各キー以外に電池の種類を設定する設定キーとしてカーソル移動キー１５Ａ及び決定キー１５Ｂが設けられている。
【００３５】
図１２は、図１１に示した電子スチルカメラにおいて、電池８Ａ及び８Ｂが装着されたあとの動作フローチャートである。まずステップＳ２０は、装着検知回路部３より装着検出信号が供給されたか否かを判断するもので、装着検出信号を検知するとステップＳ２１に進み、フラグＦを「１」に設定して電池装着が成されたことを記憶する。又、電子の種類データＬを「０」に設定する。尚、種類データＬは、後述するごとくＬ＝「１」がアルカリ電池、Ｌ＝「２」がニッケル水素電池、Ｌ＝「３」がリチウム電池に対応しており、Ｌ＝「０」というのはこれらの電池の種類設定がまだ行われていないことを意味する。また、ステップ２１では、更に、電源回路部１４に、少なくとも電源スイッチキー１２や入力部１５のキー入力を検出する為の電圧を出力させる制御信号Ｂ２を供給する。即ち、このステップＳ２１まで進むと少なくとも入力キーの検出が可能になる。
【００３６】
次のステップ２２では、何らかのキー入力が有ったか否かが検出され、キー入力があった場合には次のステップＳ２３で電源オンキー１２のキー入力なのか否かが判断される。電源オンキー１２のキー入力の場合にはステップＳ２４に進むが、そうでない場合には入力部１５からのキー入力がなされたとしてステップＳ２５に進む。
【００３７】
前記ステップＳ２４では、各部の電源をオン状態に設定するもので、即ち、フラグＮを「１」に設定すると共に、電源回路部１４に、表示部６を含め各部が動作可能となるような電源出力を行わせる制御信号Ｂ２を供給する。次のステップＳ２６では、フラグＦが「１」か否かを判断する。電池装着によってフラグＦは「１」に設定されているので、この場合はステップＳ２７に進み、表示部６で電池の種類を設定する設定画面表示を行ないステップＳ２２のキー入力の有無を判断するステップに戻る。図１３（ａ）は表示部６での設定画面表示を示しており、ステップ２８でこの設定画面において装着した電池の種類を選択するものである。即ち入力部１５のカーソル移動キー１５Ａのキー入力や決定キー１５Ｂのキー入力は、ステップＳ２２で検出され、次のステップＳ２３を介してステップＳ２５に進み、電源オン状態、即ちフラグＮ＝「１」での入力である事が検出されたあと、ステップＳ２８に進んで設定入力が行われるものである。
【００３８】
このステップＳ２８での設定入力は、カーソル移動キー１５Ａのキー入力がなされる毎に、図１３（ｂ）に示す様にアルカリ電池、ニッケル水素電池、リチウム電池の文字の先頭に表示されているチェックボックスに順次チェックマークが択一的に表示され、装着された電池の種類に対応するチェックボックスにチェックマークが表示された状態で電池の決定キー１５Ｂが操作されると、この決定キー１５Ｂの操作は、ステップＳ２２、２３、２５、２８を介してステップＳ２９に進み、フラグＦが「１」か否かが判断され、「１」のときに限り次のステップ３０で設定した種類によって種類データＬに電池の種類データが記憶されるものである。そして種類データが記憶されたあとは次のステップＳ３１でフラグＦが「０」に設定される。
【００３９】
即ち、電池の装着によってステップＳ２２でフラグＦは「１」に設定されるが電池の種類の設定がなされるとステップＳ３１でフラグＦは「０」に設定されるものである。このようにしてフラグFが「０」に設定された後は、この電子スチルカメラを使用するためのスイッチ操作がなされるとその操作に応じた各種機能が実行されるもので、即ち、各種機能の実行の為にキー操作がなされると、そのキー操作はステップＳ２２、２３、２５、２８を介してステップＳ３２に進み、このステップＳ３２でフラグFが「０」ではない事が検出され次のステップＳ３３でキー操作に応じた各種処理が実行されるものである。これに対して、電池の種類設定がなされていないとフラッグFは「１」の状態のままなので各種機能の処理の為のキー操作がなされてもステップＳ３２でＮｏと判断されてステップＳ３３には進めず、各種機能の処理が行えないものである。
【００４０】
このようにして電池の種類が設定された後は、ステップＳ２２でキー入力が検出されない時にはステップＳ３４に進み、電源オン状態（Ｎ＝「１」）であることが検出されるとステップＳ３５で電池の残り容量の検出タイミングか否かが判断され、検出タイミングであるとステップＳ３６で設定された電池の種類に応じて電池の残り容量の検出が行われ、次のステップＳ３７で検出結果の表示が成されるものである。又、ステップＳ３５で電池の検出タイミングではない時にはステップＳ３８に進み、ステップＳ３３で処理された各種機能の表示処理が成されるものである。
【００４１】
このように、この第２実施例においては、電池の種類設定が行われない限り電子スチルカメラとして使用することが出来ないので、必ず電池の種類設定が行われ、装着された電池の種類に応じた正確な検出が成されるものである。
【００４２】
尚、上述した第１及び第２の実施例では、電池の残り容量の検出及び表示の為に電池の種類を設定したが、電池の種類設定は他の目的の為に設定するようにしてもよいもので、例えば、電池の残り容量表示は行わず、電池寿命に近づいた時に電池交換を促す表示だけを行わせるような場合にあっても、電池寿命の検出の為に電池の種類を設定させるようにしたもよい。或いは、電池の種類のよって周囲温度の影響を受ける割合が異なる場合にはその補正の為に電池の種類を設定させるようにしてもよい。
【００４３】
又、上述した第１の実施例と第２の実施例とを組み合わせた構成とすることも出来るもので、例えば、第１の実施例において、スライドスイッチ３０によって電池の種類設定がなされなかった場合のみ、電源オンで第２実施例のステップＳ２７に示す設定画面表示及びステップＳ２８乃至Ｓ３０による電池の種類設定が行われる様にし、スライドスイッチ３０によって電池の種類設定がなされた場合には、ステップＳ２７に示す設定画面表示及びステップＳ２８乃至Ｓ３０による電池の種類設定は行われない様にしてもよい。
【００４４】
更に、上位各実施例では、本発明を電子スチルカメラに適用した例につき述べたが、他の電子機器、例えばビデオカメラ、携帯電話、電子辞書、携帯パソコン、ＰＤＡ、電子ゲーム機、音楽再生機など電池を電源とする種々の電子機器に適用し得るものである
【図面の簡単な説明】
【００４５】
【図１】本発明による第１実施例の電子スチルカメラの回路ブロック図。
【図２】上記電子スチルカメラの電池装着部の斜視図。
【図３】図２の電池装着部のスライドスイッチの正面図。
【図４】図３のＡ−Ａ線断面図。
【図５】スライドスイッチのスライド摘みを移動させた際の正面図。
【図６】同じくスライドスイッチのスライド摘みを移動させた際の正面図。
【図７】図１の回路ブロック図の動作を示すフローチャート。
【図８】スライドスイッチの変形例を示す正面図。
【図９】図８のＢ−Ｂ線断面図。
【図１０】電池蓋を閉じた際の正面図。
【図１１】本発明の第２実施例の回路部ロック図。
【図１２】図１１の動作を示すフローチャート。
【図１３】図１１の表示部６の表示状態を示す図。
【符号の説明】
【００４６】
１  制御部
２  撮像部
３  記録部
４  ＲＯＭ
６  表示部
７  入力部
８Ａ  電池
８Ｂ  電池
９  電源回路部
２０  電池装着部
２１  外部ケース
２２  電池蓋
【図１】
2006172920.tif 000003
【図２】
2006172920.tif 000004
【図３】
2006172920.tif 000005
【図４】
2006172920.tif 000006
【図５】
2006172920.tif 000007
【図６】
2006172920.tif 000008
【図７】
2006172920.tif 000009
【図８】
2006172920.tif 000010
【図９】
2006172920.tif 000011
【図１０】
2006172920.tif 000012
【図１１】
2006172920.tif 000013
【図１２】
2006172920.tif 000014
【図１３】
2006172920.tif 000015